(57)【要約】【課題】簡易な踏台を使用しながらも、昇降時の安全性に優れ、しかも清掃性や意匠性も良好に維持することができる床段差部の踏台構造を提供する。【解決手段】この踏台構造は、上段面２と下段面３との間に段差面４を介在させた建物の床段差部１に、段差解消用の踏台５を設置してなる。踏台５としては、床段差部１の段差面４に対して縁切りされて、家具を置くように自立させた簡易なものが使用されている。この踏台５の支持脚３１は、床段差部１の下段面３に対して固定具４０を介して固定されている。固定具４０は、支持脚３１に埋め込まれて、外部から見えないように覆い隠されている。【選択図】図１
2013034690.tif 000002
【特許請求の範囲】
【請求項１】
上段面（２）と下段面（３）との間に段差面（４）を介在させた建物の床段差部（１）に、段差解消用の踏台（５）を設置してなる床段差部の踏台構造であって、前記踏台（５）は、踏板（３０）と支持脚（３１）とを組み付けることによって構成され、前記踏板（３０）は、前記段差面（４）に対して隙間をあけて縁切りされた状態で、前記上段面（２）よりも低い位置において前記下段面（３）に対して平行に配され、前記支持脚（３１）は、前記段差面（４）に対して隙間をあけて縁切りされた状態で、前記下段面（３）に対して固定具（４０）を介して固定され、前記固定具（４０）は、前記支持脚（３１）に埋め込まれて、外部から見えないように覆い隠されていることを特徴とする床段差部の踏台構造。
【請求項２】
前記踏台（５）は、前記踏板（３０）の下面に、前記支持脚（３１）を構成する一対の板状部材（３２）を対向配置させた状態で取り付けてなり、これら板状部材（３２）が前記段差面（４）に対して直交する方向に沿って配され、前記踏板（３０）と一対の板状部材（３２）とによって囲まれた空間（Ｓ）が前方に向けて開放された状態となっている請求項１記載の床段差部の踏台構造。
【請求項３】
前記板状部材（３２）には、その底面（３２ａ）において開放する縦方向のパイプ挿入孔（３６）と、側面（３２ｂ）において開放する横方向のボルト挿入孔（３７）とが互いに連通状態で形成され、前記固定具（４０）は、前記下段面（３）から立ち上がって、前記板状部材（３２）のパイプ挿入孔（３６）に挿入されたボルト穴（４１）付きの固定パイプ（４２）と、前記板状部材（３２）のボルト挿入孔（３７）に挿入されて、前記固定パイプ（４２）のボルト穴（４１）にねじ込まれた固定ボルト（４３）とを備え、前記板状部材（３２）のボルト挿入孔（３７）の開放端に、前記ボルト挿入孔（３７）に挿入された固定ボルト（４３）を覆い隠す栓材（３８）が嵌め込まれている請求項２記載の床段差部の踏台構造。
【請求項４】
前記ボルト挿入孔（３７）は、対向配置された前記板状部材（３２）の互いに向かい合う側面（３２ｂ）に開放して形成されている請求項３記載の床段差部の踏台構造。
【発明の詳細な説明】
【技術分野】
【０００１】
この発明は、例えば住宅の室内空間に設けた床段差部の踏台構造に関する。
【背景技術】
【０００２】
従来より、リビング等の床面を部分的又は全体的に一段下げるようにして、床段差部によって囲まれた凹み空間を演出した住宅が各種提案されている。この種の凹み空間としては、床段差部の段差寸法を例えば３００ｍｍ以上に設定することで、落ち着き感を高めるとともに、床段差部を腰掛けや背もたれとして有効に利用可能として、様々な姿勢でくつろげるようにしたものもある。
【０００３】
ところが、このように床段差部の段差寸法を大きくすると、特に子どもや老人にとっては、床段差部の昇降が負担となり、場合によっては転倒の危険性もあった。このため、床段差部の適所に段差解消用の踏台を設けて、床段差部の昇降を容易にすることが一般的になされている。
【０００４】
段差解消用の踏台としては、床段差部に対して階段のように一体に造り付ける大掛かりなものから、床段差部に対して家具のように単に置くだけの簡易なものまで、色々なタイプのものがある。しかしながら、床段差部に対して一体に造り付ける踏台では、特に狭小な凹み空間においては圧迫感を与え易いといった問題があった。また、床段差部に対して単に置くだけの踏台では、昇降時にずれ動いたり、がたついたりすることがあり、安全性に問題があった。
【０００５】
そこで、例えば特許文献１〜３にも開示されているように、簡易な踏台を使用しながらも、その踏台における踏板や支持脚を床段差部に固定具を介して固定することで、昇降時の安全性を高めるようにした踏台構造が提案されている。
【先行技術文献】
【特許文献】
【０００６】
【特許文献１】特開平１１−２６４２８５号公報
【特許文献２】特開２００２−４５２６６号公報
【特許文献３】特開２００５−１２０６０１号公報
【発明の概要】
【発明が解決しようとする課題】
【０００７】
しかしながら、簡易な踏台を床段差部に固定する場合、固定具の金具やビス等が外部に露出することになって、踏台自体及び踏台周りの清掃に際して邪魔になったり、見栄えが悪くなるといった不具合があった。
【０００８】
この発明は、上記の不具合を解消して、簡易な踏台を使用しながらも、昇降時の安全性に優れ、しかも清掃性や意匠性も良好に維持することができる床段差部の踏台構造の提供を目的とする。
【課題を解決するための手段】
【０００９】
上記課題を解決するため、この発明の床段差部の踏台構造は、上段面２と下段面３との間に段差面４を介在させた建物の床段差部１に、段差解消用の踏台５を設置してなり、前記踏台５は、踏板３０と支持脚３１とを組み付けることによって構成され、前記踏板３０は、前記段差面４に対して隙間をあけて縁切りされた状態で、前記上段面２よりも低い位置において前記下段面３に対して平行に配され、前記支持脚３１は、前記段差面４に対して隙間をあけて縁切りされた状態で、前記下段面３に対して固定具４０を介して固定され、前記固定具４０は、前記支持脚３１に埋め込まれて、外部から見えないように覆い隠されていることを特徴とする。
【００１０】
具体的には、前記踏台５は、前記踏板３０の下面に、前記支持脚３１を構成する一対の板状部材３２を対向配置させた状態で取り付けてなり、これら板状部材３２が前記段差面４に対して直交する方向に沿って配され、前記踏板３０と一対の板状部材３２とによって囲まれた空間Ｓが前方に向けて開放された状態となっている。
【００１１】
また、前記板状部材３２には、その底面３２ａにおいて開放する縦方向のパイプ挿入孔３６と、側面３２ｂにおいて開放する横方向のボルト挿入孔３７とが互いに連通状態で形成され、前記固定具４０は、前記下段面３から立ち上がって、前記板状部材３２のパイプ挿入孔３６に挿入されたボルト穴４１付きの固定パイプ４２と、前記板状部材３２のボルト挿入孔３７に挿入されて、前記固定パイプ４２のボルト穴４１にねじ込まれた固定ボルト４３とを備え、前記板状部材３２のボルト挿入孔３７の開放端に、前記ボルト挿入孔３７に挿入された固定ボルト４３を覆い隠す栓材３８が嵌め込まれている。さらに、前記ボルト挿入孔３７は、対向配置された前記板状部材３２の互いに向かい合う側面３２ｂに開放して形成されている。
【発明の効果】
【００１２】
この発明の踏台構造においては、床段差部の段差面に対して縁切りして、家具を置くように自立させた簡易な踏台を使用するとともに、この踏台の支持脚を床段差部の下段面に対して固定していることから、圧迫感を感じさせない軽やかな印象を与えながらも、昇降時の安全性を高めることができる。しかも、固定具を、外部から見えないように支持脚に埋め込んでいることから、踏台自体及び踏台周りの清掃に際して固定具が邪魔にならず、見栄えも良好にすることができ、清掃性及び意匠性の向上を図ることができる。
【００１３】
また、踏板下側の空間を、前方に向けて開放した状態とすることで、軽快感のあるすっきりとした印象を与えて、圧迫感をより一層なくすことができる。
【００１４】
さらに、踏台の固定に際して、支持脚を構成する板状部材に形成した縦方向のパイプ挿入孔に、床段差部の下段面から立ち上がった固定パイプを挿入して、板状部材に形成した横方向のボルト挿入孔に挿入した固定ボルトを、固定パイプのボルト穴へねじ込むようにしているので、踏台をしっかりと安定した状態で固定することができ、昇降時の安全性をより一層高めることができる。さらにまた、板状部材の互いに向かい合う側面においてボルト挿入孔を開放させて、その開放端に固定ボルトを覆い隠す栓材を嵌め込むことで、栓材自体も外部から見え難くなって、見栄えをより一層良好にすることができる。
【図面の簡単な説明】
【００１５】
【図１】この発明の一実施形態に係る床段差部の踏台構造を示す斜視図である。
【図２】同じくその縦断面図である。
【図３】踏台を示す図である。
【図４】固定具による支持脚の固定状態を示す縦断面図である。
【図５】踏台の設置手順を示す斜視図である。
【図６】踏台の設置手順を示す斜視図である。
【発明を実施するための形態】
【００１６】
以下、この発明の実施形態を図面に基づいて詳細に説明する。この発明の一実施形態に係る床段差部の踏台構造は、例えばリビングやダイニング等の床面を部分的又は全体的に一段下げるようにして、床段差部によって囲まれた凹み空間を演出した住宅において適用されている。
【００１７】
この踏台構造は、図１及び図２に示すように、略水平な上段面２と略水平な下段面３との間に略垂直な段差面４を介在させた床段差部１に、その段差を解消するための木製の踏台５を設置してなる。
【００１８】
なお、図２中、１０は土間コンクリート、１１、１２は土間コンクリート１０に立設した束材、１３は束材１１上に取り付けた鋼製大引、１４は鋼製大引１３上に取り付けた根太、１５は根太１４上に敷設した上部床材、１６は束材１２上に敷設した下部床材、１７は鋼製下地材、１８は鋼製下地材１７の前面に取り付けた表面化粧板、１９は下地材、２０は上部床材１５の前端部と表面化粧板１８の上端部とに跨るようにして下地材１９に固定した見切り材を示している。
【００１９】
床段差部１における上段面２は、例えば上部床材１５の上面によって構成され、下段面３は、例えば下部床材１６の上面によって構成され、段差面４は、例えば表面化粧板１８の前面によって構成されている。そして、上段面２から下段面３までの垂直方向の高さ寸法（段差寸法）が、例えば３００〜４００ｍｍ（好ましくは３６０ｍｍ）に設定されている。段差寸法をこのように設定することによって、凹み空間の落ち着き感を高め、床段差部１を腰掛けや背もたれとして有効に利用可能としている。
【００２０】
踏台５は、図１乃至図３に示すように、踏板３０と支持脚３１とを一体に組み付けてなる簡易な構造とされている。すなわち、踏台５は、略長方形状の踏板３０の下面に、支持脚３１を構成する一対の略長方形状の板状部材３２を、互いに平行に対向配置させた状態で取り付けることによって構成されている。なお、踏板３０における長手方向の長さ寸法は約７００ｍｍ、短手方向の長さ寸法は約３００ｍｍとされている。また、踏板３０の上面から支持脚３１の底面までの高さ寸法は、床段差部１の段差寸法の半分程度で約１８０ｍｍとされている。さらに、一対の板状部材３２の後端部上端間には、振れ止め材３３が差し渡されている。
【００２１】
この踏台５を床段差部１に設置した状態において、踏板３０は、凹み空間の内壁面６や床段差部１の段差面４に対して隙間をあけて縁切りされた状態で、上段面２よりも低い位置において、その長手方向の後端部が段差面４に沿うようにして、下段面３に対して平行に配されている。また、支持脚３１を構成する一対の板状部材３２は、凹み空間の内壁面６や床段差部１の段差面４に対して隙間をあけて縁切りされた状態で、段差面４に対して直交する方向に沿って配され、下段面３に対して固定具４０を介して固定されている。
【００２２】
したがって、踏台５は、その周囲の仕上げ材に干渉することなく、家具を置くように自立状態で設置されて、下段面３にしっかりと固定された状態となっている。しかも、踏板３０と一対の板状部材３２とによって囲まれた空間Ｓが、前方（図１において白抜き矢印に示す方向）及び後方に向けて開放された状態となっている。すなわち、踏板３０の下側において、前後方向に貫通する空間Ｓが形成されている。これらにより、圧迫感のない軽やかな印象を与えながらも、昇降時の安全性を良好に維持している。
【００２３】
また、上記の踏台構造においては、踏台５を固定するための固定具４０を、支持脚３１を構成する一対の板状部材３２に埋め込んだ状態として、外部から見えないように覆い隠すようにしている。
【００２４】
すなわち、板状部材３２には、図３及び図４に示すように、その前端部及び後端部において固定具４０を収容する収容孔部３５がそれぞれ形成されている。収容孔部３５は、板状部材３２の底面３２ａにおいて開放する縦方向のパイプ挿入孔３６と、板状部材３２の内側面３２ｂ（対向配置された板状部材３２、３２の互いに向かい合う側面）において開放する横方向のボルト挿入孔３７とを備え、これらパイプ挿入孔３６とボルト挿入孔３７とは互いに連通状態となっている。なお、パイプ挿入孔３６の開放端は、後述する固定盤４４を収容するために拡径され、ボルト挿入孔３７の開放端は、後述する栓材３８を収容するために拡径されている。
【００２５】
固定具４０は、図４に示すように、床段差部１の下段面３から立ち上がって、板状部材３２のパイプ挿入孔３６に挿入されたボルト穴４１付きの固定パイプ４２と、板状部材３２のボルト挿入孔３７に挿入されて、固定パイプ４２のボルト穴４１にねじ込まれた固定ボルト４３とを備えている。なお、固定パイプ４２の下端部には、固定盤４４が一体に固定されていて、この固定盤４４を下段面３にビス４５止めすることで、固定パイプ４２が下段面３から立ち上がっている。
【００２６】
そして、板状部材３２のボルト挿入孔３７の開放端には、ボルト挿入孔３７に挿入された固定ボルト４３を覆い隠す栓材３８が取外し可能に嵌め込まれている。これにより、固定パイプ４２及び固定ボルト４３が、外部に全く露出することなく、板状部材３２の収容孔部３５に収容された状態となっている。
【００２７】
なお、施工現場での踏台５の設置に際しては、図５に示すように、床段差部１の下段面３に合計４本の固定パイプ４２を立設した後、一対の板状部材３２における合計４つのパイプ挿入孔３６へ固定パイプ４２をそれぞれ差し入れるようにして、踏台５を下段面３上に載置する。続いて、図６に示すように、一対の板状部材３２における合計４つのボルト挿入孔３７へ固定ボルト４３をそれぞれ挿入して、これら固定ボルト４３を固定パイプ４２のボルト穴４１にねじ込む。最後に、ボルト挿入孔３７の開放端に、木製の栓材３８をそれぞれ嵌め込むことで、ボルト挿入孔３７に挿入した固定ボルト４３を覆い隠している。
【００２８】
このように、踏台５を固定するための固定具４０を、支持脚３１に埋め込んで、外部からは全く見えないように覆い隠すことで、踏台５自体及び踏台５周りの清掃に際して固定具４０が邪魔にならず、見栄えも良好にすることができる。
【００２９】
以上に、この発明の実施形態について説明したが、この発明は、上記実施形態に限定されるものではなく、この発明の範囲内で種々変更して実施することが可能である。例えば、この発明の踏台構造は、リビングやダイニング等に設けた凹み空間周りの床段差部に適用するだけでなく、玄関や廊下等における床段差部に適用しても良い。
【符号の説明】
【００３０】
１・・床段差部、２・・上段面、３・・下段面、４・・段差面、５・・踏台、３０・・踏板、３１・・支持脚、３２・・板状部材、３２ａ・・板状部材の底面、３２ｂ・・板状部材の側面、３６・・パイプ挿入孔、３７・・ボルト挿入孔、３８・・栓材、４０・・固定具、４１・・ボルト穴、４２・・固定パイプ、４３・・固定ボルト、Ｓ・・空間
【図１】
2013034690.tif 000003
【図２】
2013034690.tif 000004
【図３】
2013034690.tif 000005
【図４】
2013034690.tif 000006
【図５】
2013034690.tif 000007
【図６】
2013034690.tif 000008